(57)【要約】専門の訓練も、ネジも、ボルトも、ピンも、専用の工具も必要とせずに、サイズ決め、組立て、および分解を可能にする、メガネフレーム（２、７、３９、４９）。一つの局面において、本発明は、少なくとも１つの上側部分と、少なくとも１つの嵌合する下側部分とを有するアイワイヤアセンブリ；アイワイヤアセンブリに連結された、少なくとも１つのテンプルアームヒンジブロック；および、工具を用いることなく、アイワイヤの上側部分と、アイワイヤの嵌合する下側部分とを連結するための連結機構を備える、メガネフレームアセンブリを提供する。
2008504571.tif 000002
【特許請求の範囲】
【請求項１】
メガネフレームアセンブリであって、以下：
少なくとも１つの上側部分と、少なくとも１つの嵌合する下側部分とを有するアイワイヤアセンブリ；
該アイワイヤアセンブリに連結された、少なくとも１つのテンプルアームヒンジブロック；および
工具を用いることなく、該アイワイヤの上側部分と、該アイワイヤの嵌合する下側部分とを連結するための連結機構
を備える、メガネフレームアセンブリ。
【請求項２】
前記連結機構が、前記アイワイヤの上側部分もしくは下側部分の一方の上に配置された引張りクリップを備える、請求項１に記載のメガネフレームアセンブリ。
【請求項３】
前記連結機構が、前記アイワイヤの上側部分もしくは下側部分のもう一方の上に配置された、引張りクリップの受け部を備える、請求項２に記載のメガネフレームアセンブリ。
【請求項４】
前記引張りクリップが、前記アイワイヤの上側部分と前記アイワイヤの嵌合する下側部分とを連結して、リムの内側にメガネのレンズを維持するために、前記引張りクリップの受け部内に解放可能に挿入され得る、請求項３に記載のメガネフレームアセンブリ。
【請求項５】
２つのレンズと、２つのテンプルアームと、該２つのレンズを支持するためのフレームとを備えるメガネであって、該メガネは、さらに、テンプルアームヒンジブロックを有し、該テンプルアームは、さらなる金物を用いることなく、該テンプルアームヒンジブロックに直接、旋回可能に取り付けられている、メガネ。
【請求項６】
前記フレームが、フルリムのメガネフレームである、請求項５に記載のメガネ。
【請求項７】
前記フレームが、ハーフリムのメガネフレームである、請求項５に記載のメガネ。
【請求項８】
前記フレームが、３点マウント式の縁なしのメガネフレームである、請求項５に記載のメガネ。
【請求項９】
テンプルと、テンプルアームヒンジブロックとを備えるメガネフレームアセンブリであって、該テンプルアームは、さらなる金物を用いることなく、該テンプルアームヒンジブロックに直接、旋回可能に取り付けられている、メガネフレームアセンブリ。
【請求項１０】
前記メガネフレームが、フルリムのメガネフレームである、請求項９に記載のメガネフレームアセンブリ。
【請求項１１】
前記メガネフレームが、ハーフリムのメガネフレームである、請求項９に記載のメガネフレームアセンブリ。
【請求項１２】
前記メガネフレームが、３点マウント式の縁なしのメガネフレームである、請求項９に記載のメガネフレームアセンブリ。
【請求項１３】
テンプルアームヒンジブロックを有するメガネフレームアセンブリであって、該テンプルアームヒンジブロックは、該メガネのテンプルアームが、所定量のトルクを加えることによって、該テンプルアームヒンジブロックから選択的かつ交換可能に取り外され得るように構成および配置されている、メガネフレームアセンブリ。
【請求項１４】
前記メガネフレームが、フルリムのメガネフレームである、請求項１３に記載のメガネフレームアセンブリ。
【請求項１５】
前記メガネフレームが、ハーフリムのメガネフレームである、請求項１３に記載のメガネフレームアセンブリ。
【請求項１６】
前記メガネフレームが、３点マウント式の縁なしのメガネフレームである、請求項１３に記載のメガネフレームアセンブリ。
【請求項１７】
前記テンプルアームが、前記テンプルアームヒンジブロックに取り付けるための第１の端部を有する、請求項１３に記載のメガネフレームアセンブリ。
【請求項１８】
前記テンプルアームヒンジブロックが、前記テンプルアームの第１の端部の一部を受けるための溝を備え、該部分が、ある直径を有する、請求項１３に記載のメガネフレーム。
【請求項１９】
前記溝の深さが、前記テンプルアームの第１の部分の直径の半分未満である、請求項１８に記載のメガネフレーム。
【請求項２０】
前記溝が、面取りされている、請求項１８に記載のメガネフレーム。
【請求項２１】
前記溝が、ベベル状の傾斜のついた前縁を有する、請求項１８に記載のメガネフレーム。
【請求項２２】
前記第１の端部が、屈曲部を備える、請求項１８に記載のメガネフレーム。
【請求項２３】
前記溝が、前記テンプルアームの第１の端部内の前記屈曲部を収容するような角度になっている、請求項２２に記載のメガネフレーム。
【請求項２４】
前記溝が、面取りされている、請求項２３に記載のメガネフレーム。
【請求項２５】
前記溝が、ベベル状の傾斜のついた前縁を有する、請求項２３に記載のメガネフレーム。
【請求項２６】
メガネフレーム用のメガネテンプルアームおよびテンプルアームヒンジブロックであって、該メガネテンプルアームおよび該テンプルアームヒンジブロックは、該メガネテンプルアームが、該テンプルアームヒンジブロックに対して、該テンプルアームの過剰な回転を加えることによって、該テンプルアームヒンジブロックから選択的かつ交換可能に取り外され得るように構成および配置されている、メガネテンプルアームおよびテンプルアームヒンジブロック。
【請求項２７】
前記メガネフレームが、フルリムのメガネフレームである、請求項２６に記載のメガネフレームアセンブリ。
【請求項２８】
前記メガネフレームが、ハーフリムのメガネフレームである、請求項２６に記載のメガネフレームアセンブリ。
【請求項２９】
前記メガネフレームが、３点マウント式の縁なしのメガネフレームである、請求項２６に記載のメガネフレームアセンブリ。
【請求項３０】
メガネフレームアセンブリであって、該メガネフレームアセンブリは、その近位端で該メガネフレームに連結された少なくとも１つのテンプルアームピースを備え、そして、その遠位端には、該テンプルアームの長さを調節するための印を有する、メガネフレームアセンブリ。
【請求項３１】
前記印が、前もって形成された切欠きを含む、請求項３０に記載のメガネフレームアセンブリ。
【請求項３２】
前記印が、切れ目または食刻である、請求項３０に記載のメガネフレームアセンブリ。
【請求項３３】
前記メガネフレームが、フルリムのメガネフレームである、請求項３０に記載のメガネフレームアセンブリ。
【請求項３４】
前記メガネフレームが、ハーフリムのメガネフレームである、請求項３０に記載のメガネフレームアセンブリ。
【請求項３５】
前記メガネフレームが、３点マウント式の縁なしのメガネフレームである、請求項３０に記載のメガネフレームアセンブリ。
【請求項３６】
メガネのレンズをメガネフレームに取り付けるための方法であって、該方法は、以下：
少なくとも１つの上側部分と少なくとも１つの嵌合する下側部分とを有するアイワイヤアセンブリ、および該アイワイヤの上側部分と該アイワイヤの嵌合する下側部分とを連結するための連結機構を有する、メガネフレームを提供する工程；ならびに
該アイワイヤの上側部分を、該アイワイヤの嵌合する下側部分に、工具を用いることなしに連結する工程
を包含する、方法。
【請求項３７】
メガネを構築するための方法であって、該方法は、以下：
テンプルアームを受けるためのテンプルアームヒンジブロックを有するメガネアセンブリを提供する工程；および
該テンプルアームヒンジブロックから、工具を用いることなしに、該テンプルアームを、選択可能かつ取り外し可能に取り付ける工程
を包含する、方法。
【請求項３８】
前記メガネフレームが、フルリムのメガネフレームである、請求項３７に記載のメガネフレームアセンブリ。
【請求項３９】
前記メガネフレームが、ハーフリムのメガネフレームである、請求項３７に記載のメガネフレームアセンブリ。
【請求項４０】
前記メガネフレームが、３点マウント式の縁なしのメガネフレームである、請求項３７に記載のメガネフレームアセンブリ。
【請求項４１】
メガネを分解するための方法であって、該方法は、以下：
テンプルアームに連結されたテンプルアームヒンジブロックを有するメガネを提供する工程；および
該テンプルアームヒンジブロックから、工具を用いることなしに、該テンプルアームを選択的かつ交換可能に取り外す工程
を包含する、方法。
【請求項４２】
前記メガネフレームが、フルリムのメガネフレームである、請求項４１に記載のメガネフレームアセンブリ。
【請求項４３】
前記メガネフレームが、ハーフリムのメガネフレームである、請求項４１に記載のメガネフレームアセンブリ。
【請求項４４】
前記メガネフレームが、３点マウント式の縁なしのメガネフレームである、請求項４１に記載のメガネフレームアセンブリ。
【請求項４５】
装着者に対してメガネをフィットさせるための方法であって、該方法は、以下：
印の付いたテンプルアームを有するメガネを提供する工程；および
該テンプルアームからある長さを除くことによって、該テンプルアームの寸法を決める工程
を包含する、方法。
【請求項４６】
前記メガネフレームが、フルリムのメガネフレームである、請求項４５に記載のメガネフレームアセンブリ。
【請求項４７】
前記メガネフレームが、ハーフリムのメガネフレームである、請求項４５に記載のメガネフレームアセンブリ。
【請求項４８】
前記メガネフレームが、３点マウント式の縁なしのメガネフレームである、請求項４５に記載のメガネフレームアセンブリ。
【請求項４９】
テンプルアームの長さを調節するために、該テンプルアームから材料を取り外すための印を備える、メガネテンプルアーム。
【請求項５０】
前記印が、前もって形成された切欠きを含む、請求項４９に記載のメガネフレームアセンブリ。
【請求項５１】
前記印が、切れ目または食刻である、請求項４９に記載のメガネフレームアセンブリ。
【請求項５２】
前記印が、有色のマーキングである、請求項４９に記載のメガネテンプルアームと共に用いるための、テンプルアーム耳づるのしのみ。
【発明の詳細な説明】
【技術分野】
【０００１】
（本発明の説明）
本願は、２００４年６月２４日に出願された、米国特許出願第１０／８７４，２７９号に対する優先権を主張する。
【０００２】
（発明の分野）
本発明は、ネジ、ボルト、またはピンを必要とせず、そして、専用の工具を必要とすることなく容易に組み立ておよび分解される、メガネフレームに関する。
【背景技術】
【０００３】
（発明の背景）
近年、メガネの設計および生産において、多数の改善がなされており、ますます軽量で、快適で、かつ、魅力的な製品を生み出している。しかし、これらの製品の改善は、従来のメガネの設計に伴う多数の問題に曝されている。第一に、多くのメガネ製品は、非常に精巧であり、複数の小さな部品を有し、そして、修理もしくは組立てのために、高機能の工具または専用の部品を必要とする。第二に、精巧な部品は、長期にわたって使用した後、否応無く壊れ、そして、修理は、時間がかかるか、高額であるか、または、使用者にとって不便である。第三に、所定のセットのメガネフレームについて、所定の使用者に対してメガネをカスタマイズすることが、しばしば、困難であるか、高額であるか、または、不可能である。さらに、損傷したメガネの修理は、しばしば、エンドユーザーによってなされることができず、メガネ技師のもとを訪れることを必要とする。本発明は、これらの問題のうちの少なくとも１つに対する解決策を提供し得る。
【０００４】
多くのメガネの設計に伴う主要な問題は、ネジ、ピン、または、小さなボルトのような、複数の締め具を必要とすることである。これらの締め具は、メガネテンプルアームとテンプルアームヒンジブロックとの間のヒンジ点、または、メガネのリムの種々の点に位置し得る。いくつかの場合において、複数の型または大きさの締め具が、同じメガネに対して使用される。さらに、これらの締め具は、しばしば、小売店のストックによって容易には交換されず、そして、しばしば、修理するためのカスタムオーダーを必要とする。
【０００５】
締め具は、メガネのリムおよびメガネのヒンジの両方に関して使用され得る。メガネのリムに関して使用される場合、締め具は、レンズを適所に固定するか、リムをメガネの別の部分に連結するか、または、複数の部品を互いに保持することを補助し得る。いずれにせよ、締め具は、ネジであろうと、ピンであろうと、ボルトのデザインであろうと、長期間の装着の後には、緩みやすい（ｓｕｂｊｅｃｔ  ｔｏ  ｂａｃｋ−ｏｕｔ）。これが起こると、締め具は、しばしば紛失し、そして、修理が行なわれるまで、この製品が役に立たなくなる。
【０００６】
締め具はまた、メガネのヒンジについても使用され、この用途の締め具について、多数のデザインが存在する。いくつかのデザインは、ネジまたは小さなボルトのようなねじ切り式の締め具を必要とする。他のデザインは、ピンのようなネジのない締め具を必要とする。いくつかのデザインはまた、接着剤、座金、または、摩擦ばめの材料も用いる。あらゆるこれらのヒンジのデザインにもかかわらず、ネジ、ボルト、または、ピンは、ヒンジまたはフレームの他のセクションにおける受け口から緩み、メガネを装着不可能にし、そして、新しい部品の購入、専用の工具の使用、もしくは、修理を行なうためのメガネ技師の診察（ｃｏｎｓｕｌｔａｔｉｏｎ）を必要とする可能性があるというリスクがある。
【０００７】
メガネのヒンジに関する別の問題は、これらが、時折、偶発的な、または、意図的な誤用により、比較的激しい応力に供されることである。従来のメガネのヒンジは、しばしば、十分な応力下で、壊れるか、または、変形する。壊れたメガネは、装着することができず、そして、変形したメガネは、適切にフィットし得ない。多くの現在のデザインに関して、修理は、十分な訓練、交換用部品の購入、または、テープもしくは接着剤のような見た目の悪い材料の使用を必要とし得る。
【０００８】
現在のメガネの設計に関するなお別の問題は、テンプルアームの耳づる（ｅａｒ  ｐｉｅｃｅ）に関するものである。テンプルアームの耳づるは、所定のセットのフレームについて、１つの長さで提供される。消費者は、しばしば、より短いか、または、より長いテンプルアームの長さを必要とするが、この部品は、めったにストックされず、小売店によって特別に注文されなければならない。適切な部品が全く入手できない場合、このプロセスには時間がかかる。フレーム上の多くのテンプルアームは、汎用のものではなく、代表的に、左右の側があり、そして、他のフレームスタイルと交換することができない。耳づるの筒部（ｓｏｃｋ）またはしのみ（ｐａｄｄｌｅ）は、一旦製造業者によって適用されると、取り外されるようには設計されない。しのみが紛失または破壊された場合、これを交換することは非常に困難である。しのみの様式は、しばしば、ただ１つのテンプルアームの様式、色および大きさのために設計された、特注のアイテムであり；そして、製造業者は、追加注文のためのしのみの部品番号をそう頻繁には使用しない。大部分は、交換のためにのみ、完全なフレームを提供する。
【発明の開示】
【課題を解決するための手段】
【０００９】
（発明の要旨）
有利なことには、本発明は、ネジもピンもボルトも必要とせずに、レンズをしっかりと保持するための、新規なメガネフレームを提供する。
【００１０】
本発明はさらに、有利なことには、フレームのテンプルアームを、ネジもピンもボルトも必要とせずに、テンプルアームヒンジブロックに取り外し可能に取り付けるための、新規メガネフレームを提供する。
【００１１】
さらに有利なことには、本発明は、フレームのテンプルアームが故意もしくは無意識のいずれかでテンプルアームヒンジブロックから分離された場合に、専用の工具も、交換用の部品も、訓練も必要とせずに、フレームのテンプルアームが、テンプルアームヒンジブロックに容易に取り付けられ得る、新規なメガネフレームを提供する。
【００１２】
本発明の別の利点は、本明細書中の記載に従って構築されたメガネフレームが、先行技術のものとは異なり、より耐久性であり、恒久的に損傷される可能性が低く、そして、専用の工具も、交換用の部品も、訓練も必要とせずに、容易に修理され得ることである。
【００１３】
本発明の別の利点は、本明細書中の記載に従って構築されたメガネフレームが、先行技術のものとは異なり、より耐久性であり、恒久的に損傷される可能性が低く、そして、訓練されていないエンドユーザーによっても容易に修理され得ることである。
【００１４】
本発明のさらなる利点は、メガネのテンプルアームの長さが、ここでも、専用の工具を用いることなく、余剰な長さを取り除くことによって、短くされ得ることである。
【００１５】
本発明の別の利点は、テンプルアームのしのみまたは筒部が、１つ以上の長さのテンプルアームと共に用いられ得ることである。
【００１６】
本発明のさらなる目的および利点は、一部は、以下の明細書中に示され、そして、一部は、明細書から明らかであるか、または、本発明を行なうことによって確認され得る。本発明の目的および利点は、添付の特許請求の範囲に具体的に示される要素および組み合わせによって、具体化および達成され得る。
【００１７】
上記の一般的な説明および以下の詳細な説明の両方が、例示的かつ説明的なものに過ぎず、そして、特許請求の範囲に記載される、本発明を制限するものではないことが理解されるべきである。
【００１８】
本明細書に組み込まれ、本明細書の一部を構成する、添付の図面は、本発明のいくつかの実施形態を例示し、明細書と共に、本発明の原理を説明するのに役立つ。
【発明を実施するための最良の形態】
【００１９】
（実施形態の説明）
ここで、本発明の当面の実施形態（この例は、添付の図面に例示される）に対して、詳細な参照がなされる。可能な限り、同じ参照番号は、図面の全体を通して、同じ部品または類似の部品を指すように使用される。
【００２０】
用語「メガネ」は、レンズ、フレームおよびテンプルアームを備える、メガネ全体を指す。もちろん、本発明は、視力矯正において使用される処方メガネ（ｐｒｅｓｃｒｉｐｔｉｏｎ  ｅｙｅｇｌａｓｓ）、ならびに、サングラス、保護メガネ、または、サングラス、処方メガネもしくは保護メガネの組み合わせに対しても、等しく適用される。
【００２１】
用語「フレーム」は、レンズを除く「メガネ」全体、すなわち、リム、もしくは他のレンズを保持する構造体、テンプルアーム、鼻あて（ｎｏｓｅ  ｐｉｅｃｅ）、または、耳づるのしのみを指す。フレームは、メガネのフレームを製造するために有用であることが知られるあらゆる型の材料から製造され得ることが想定される。メガネのフレームに使用される材料の例としては、チタン、ステンレス鋼、Ｍｏｎｅｌ、ベリリウム、ニチノール、Ｔｉｃｒａｌ、Ｆｌｅｘｏｎ、アルミニウム、銀、金のような金属類；またはプラスチック、エラストマー、ゴム、木、皮、もしくは宝石のような非金属類が挙げられる。合金、複合材料、またはコポリマーのような材料の組み合わせもまた、フレームの種々の部品のために使用され得る。さらに、あらゆる型のレンズが、本発明と組み合せて使用され得る。
【００２２】
有利なことには、本発明は、ネジもピンもボルとも必要とせずに、レンズをしっかりと保持するための、新規なメガネのリムを提供する。図１〜８に示される零時的な実施形態において、本発明は、アイワイヤ（ｅｙｅｗｉｒｅ）の上側部分（２）とアイワイヤの下側部分（３）とを備えるメガネについてのリム（１）、テンプルアームヒンジブロック（４）、および、連結機構（７）を備える。連結機構（７）は、アイワイヤの上側部分（２）とアイワイヤの下側部分（３）とを連結するために、テンプルアームヒンジブロック（４）に隣接しており、そして、アイワイヤの上側部分（２）またはアイワイヤの下側部分（３）のいずれかに配置される引張りクリップ（５、５’、５”）を備える。引張りクリップの受け部（６、６’、６”）が、アイワイヤの上側部分（２）またはアイワイヤの下側部分（３）のもう一方に配置され、その結果、引張りクリップ（５、５’、５”）は、引張りクリップの受け部（６、６’、６”）内に挿入されて、アイワイヤの上側部分（２）とアイワイヤの下側部分（３）とを連結して、メガネのレンズ（８）をリム（１）の内側にしっかりと維持し得る。
【００２３】
１つの実施形態において、引張りクリップ（５）および引張りクリップの受け部（６）が、図３〜４に例示される。この実施形態において、引張りクリップ（５）は、引張りクリップ（５）およびアイワイヤの下側部分（３）のある長さに沿った、アイワイヤの下側部分（３）の連結領域（１２）に恒久的に取り付けられる。この連結領域（１２）における取り付けは、化学的もしくは機械的な接着により形成され得る。適用可能な接着プロセスとしては、溶接、接着、または、引張りクリップ（５）を、アイワイヤの下側部分（３）に接着させる、化学反応の発生が挙げられる。引張りクリップ（５）およびアイワイヤの下側部分（３）はまた、従来の金属型（ｍｅｔａｌ  ｆｏｒｍｉｎｇ）または射出成形のような手順によって、単一の部品として形成され得る。
【００２４】
図３〜４に例示される実施形態において、引張りクリップ（５）は、第１のセクション（１０）および第２のセクション（１７）、ならびに、端部セクション（１４）を備える、フックもしくはＵ字の形状を有し得る。端部セクション（１４）は、引張りクリップの受け部（６）内の開口部（１３）内に挿入される。挿入の前に、引張りクリップの幅（１５）は、引張りクリップの受け部の幅（１６）と同じであるか、これよりも大きい。引張りクリップ（５）を引張りクリップの受け部（６）内に挿入すると、引っ張りクリップ（５）は、圧迫されて、その結果、幅（１５）は、引張りクリップ（６）内の開口部（１３）の内側にフィットするのに十分に小さくなる。引張りクリップ（５）が、引張りクリップの受け部（６）内に完全に挿入されると、引張りクリップ（５）は、引張りクリップの受け部の幅（１６）まで拡がり、第１のセクション（１０）は、アイワイヤの上側部分（２）の末端部分（１１）の一部と接触し、そして、第２のセクション（１７）は、引張りクリップの受け部（６）の固定領域（９）と接触して、アイワイヤの上側部分（２）およびアイワイヤの下側部分（３）をしっかりと連結する。この様式で、アイワイヤの上側部分（２）とアイワイヤの下側部分（３）との間に配置されるレンズ（８）が、適所に保持される。さらに、レンズ（８）は、引張りクリップ（５）を圧迫し、そして、引張りクリップの受け部（６）から引張りクリップ（５）を取り外すことによって、リム（１）から解放され得る。例えば、ニチノールのような形状記憶合金が使用される場合、引張りクリップ（５）の拡張および圧迫は、形状記憶特性または偽弾性特性を生かすことによって生じ得る。
【００２５】
引張りクリップ（５’）および引張りクリップの受け部（６’）についての種々の他の実施形態が、図５〜６に例示される。図５および６において、引張りクリップ（５’）は、引張りクリップの受け部（６’）内の側方にある開口部（１９）としっかりと係合する、突出部（１８）を備える。図６に例示されるように、突出部（１８）および側方にある開口部（１９）の係合は、引張りクリップの受け部（６’）内に引張りクリップ（５’）を固定する。
【００２６】
引張りクリップ（５”）および引張りクリップの受け部（６”）についての種々の他の実施形態が、図７〜８に例示される。引張りクリップ（５”）は、フックもしくはＵ字の形状ではないが、側方に突出部（２１）がある実質的に中空でない形状（１９）である。図５〜６と同様に、箱（１９）の側方にある突出部（２１）は、引張りクリップの受け部（６”）の側方にある開口部（２２）内にフィットする。
【００２７】
上記の実施形態のいずれかにおいて、引張りクリップ（５、５’、５”）は、組み立ての間に、引張りクリップ（５、５’、５”）が曲がるように、引張りクリップの受け部（６、６’、６”）よりも弾力があり得る。しかし、引張りクリップの受け部（６、６’、６”）もまた、組立ての間に、受け部（６、６’、６”）が曲がるように、より可撓性であり得る。もちろん、両方の部品が、ある程度の可撓性を示し得る。
【００２８】
本発明の別の利点は、フレームのテンプルアーム（２５）は、テンプルアーム（２５）が故意もしくは無意識のいずれかでテンプルアームヒンジブロック（４）から分離された場合に、専用の工具も、交換用の部品も、訓練も必要とせずに、テンプルアームヒンジブロック（４）に容易に取り付けられ得る。
【００２９】
図９〜１３は、本発明に従うテンプルアーム（２５）およびテンプルアームヒンジブロック（４）の実施形態を例示する。テンプルアーム（２５）およびテンプルアームヒンジブロック（４）は、フルリムのメガネフレーム、ハーフリムもしくは半分縁なしのメガネフレーム、または、３点マウント式、すなわち、縁なしのメガネフレームと共に使用され得る。図９は、テンプルアームヒンジブロック（４）を例示する。テンプルアームヒンジブロック（４）は、第１のヒンジブロックセクション（３０）および第２のヒンジブロックセクション（３１）を備える。第２のヒンジブロックセクション（３１）は、メガネのアイワイヤの上側部分（２）またはアイワイヤの下側部分（３）に取り付けられる。縁なしのメガネフレームの場合、テンプルアームヒンジブロック（４）は、メガネのレンズ（８）に直接取り付けられ得る。第１のヒンジブロックセクション（３０）と第２のヒンジブロックセクション（３１）との間の鈍角（２９）は、約１００°〜約１３０°の範囲である。テンプルアームヒンジブロック（４）は、第１のヒンジブロックセクション（３０）の片側に配置された、浅い溝（２６）を有する。この第１のヒンジブロックセクション（３０）はまた、上面（３２）および底面（３３）を有する。第１の円形開口部（２７）が、上面（３２）上に配置され、そして、第２の円形開口部（３４）が、底面（３３）上に配置される。円筒状のボア（２８）が、第１の円形開口部（２７）および第２の円形開口部（３４）を連結する。図１０に例示される別の実施形態においては、１つのみの円形開口部（３５）および円筒状のボア（３６）が、第１のヒンジブロックセクション（３０）を通る道の一部分のみを延び得る。
【００３０】
図１１は、先行技術分野において公知の、類似のテンプルヒンジブロック（４’）を例示する。本発明は、この発明を上回るいくつかの利点を提供する。第一に、第１のヒンジブロックセクション（３０）と第２のヒンジブロックセクション（３１）との間の鈍角（２９）は、図９〜１０に示されるように、ほぼ１００°と１３０°である。先行技術に示されるように、第１のヒンジブロックセクション（３０’）と（３１’）との間の角度（２９’）は、常に約９０°である。第二に、本発明の溝（２６）は、浅く、図１２〜１４に示されるように、テンプルの細長セクション（３７）の直径よりも浅い深さを有する。第三に、この溝（２６）は、面取りされており、そして、ベベル状もしくは傾斜のついた前縁（５２）を有するが、先行技術の前縁（５２’）は、平らである。本発明における鈍角（２９）、狭い溝（２６）および傾斜のついた前縁（５２）の組み合わせは、テンプル（２５）の過度な外向きの屈曲によるメガネに対する応力を減らすこと、そして、メガネを損傷することなく、偶発的もしくは意図的に十分な応力を加えることにより、テンプル（２５）がテンプルヒンジブロック（４）からより容易に取り外されることを可能にすることによって、利点を提供する。先行技術の構造は、この重要な利点を可能にしない。
【００３１】
図１２は、本発明に従うテンプルアーム（２５）を例示する。テンプルアーム（２５）は、細長セクション（３７）、テンプルアームヒンジ（３８）およびヒンジ連結ジョイント（３９）を有する。テンプルアームヒンジ（３８）は、ヒンジブロック連結部セクション（４０）、中央セクション（４２）およびテンプルアーム連結部領域（４３）を有する。テンプルアームヒンジ（３８）は、ヒンジ連結ジョイント（３９）によって、細長セクション（３７）に連結される。中央セクション（４２）は、第１の角度（４１）で、細長セクション（３７）から離れて延びる。ヒンジ連結ジョイント（３９）は可撓性であり、第１の角度（４１）が、メガネのフレームを損傷することなく、増えたり減ったりすることを可能にする。ヒンジブロック連結部セクション（４０）は、中央セクション（４２）と、第２の角度（４４）（約９０°である）を形成する。細長セクション（３７）は、細長セクション（３７）の主軸（５０）に関して角度をなす、第１の端部（４６）を有する。
【００３２】
図１３〜１４は、テンプルアームヒンジブロック（４）に連結されたテンプルアーム（２５）を例示する。図１３は、テンプルアームヒンジブロック（４）に連結されたテンプルアーム（２５）を例示し、ここで、テンプルアーム（２５）は、人間がメガネを装着しているかのような開いた位置にある。この開いた位置において、テンプルアーム（２５）の細長セクション（３７）の第１の端部（４６）は、テンプルアームヒンジブロック（４）の側部にある溝（２６）の内部にある。細長セクションの屈曲部（５１）は、細長セクション（３７）の第１の端部（４６）が、溝（２６）内にぴったりとフィットすることを可能にする。ヒンジブロック連結部（４０）は、第１の円形開口部（２７）を通して、テンプルアームヒンジブロック（４）のボア（２８）内に旋回可能に位置決めされる。
【００３３】
図１４は、テンプルアームヒンジブロック（４）に連結されたテンプルアーム（２５）を例示し、ここで、テンプルアーム（２５）は、メガネが装着されていないかのような閉じた位置にある。細長セクション（３７）の第１の端部（４６）は溝（２６）内にはなく、ヒンジブロック連結部（４０）はボア（２８）内にあり、そして、テンプルアーム（２５）は、ヒンジブロック連結部（４０）およびボア（２８）によって生成される軸（４５）の周りを旋回する。この閉じた位置において、細長セクション（３７）の第１の端部（４６）の位置が、溝（２６）の外であることは、保管の際、または、運搬の際に、メガネを保護するために、閉じた位置を維持するのに役立つ。
【００３４】
図１５は、テンプルアームヒンジブロック（４）から取り外されたテンプルアーム（２５）を例示する。角度（４１）は、ヒンジ連結ジョイント（４３）の伸長部により増大される。細長セクション（３７）は、溝（２６）から出て動き、そして、ヒンジブロック連結部（４０）は、ボア（２８）から出てスライドして、テンプルアーム（２５）をテンプルアームヒンジブロック（４）から取り外す。
【００３５】
図１６は、切欠き（４９）のような印を備えるメガネのテンプルアーム（２５）を例示し、この切欠き（４９）は、テンプルアームの長さを変更するために切断され得る。切れ目（ｓｃｏｒｉｎｇ）もまた、テンプルアーム（２５）を、有る長さへときれいに折ることを可能にするために使用され得る。この印はまた、少なくとも１つの印字されたマーキングであってもよい。デザインは、任意の数の切欠き（４９）を含み得るが、好ましい数は、２と２０との間の目盛り付きの切欠き（４９）であり、これらは、等しく間隔をあけられていても、統計上の形態測定のような、他の相対的な検討材料によって、間隔をあけられていてもよい。代表的な場合、２と６との間の目盛り付きの切欠き（４９）芽使用される。テンプルアーム（２５）の材料は、切欠き（４９）においてより薄くなり、より容易な切断および複数のテンプルアームを同等な大きさにすることを提供し得る。
【００３６】
図１７は、種々の長さのテンプルアームと共に使用され得る、テンプルアームのしのみ（５０）を例示する。テンプルアーム（２５）が所望の長さに調節された後、しのみ（５０）が、テンプルアーム（２５）の上に嵌められる。しのみ（５０）自体は、切断されるか、または、テンプルアーム（２５）上に適切にフィットさせるため、または、装着者の快適さのために、他の形状にされ得る。
【００３７】
本発明のテンプルアーム（２５）およびテンプルアームヒンジブロック（４）は、あらゆる型のメガネフレームと共に使用され得る。本発明のテンプルフレームアーム（２５）およびテンプルアームのしのみ（５０）上の印もまた、あらゆる型のメガネフレームと共に使用され得る。使用され得る種々の型のメガネフレームの例は、フルリムのメガネフレーム、ハーフリムのメガネフレーム、および３点マウント式の縁なしのメガネフレームである。
【００３８】
本発明の他の実施形態は、明細書を考慮し、本明細書中に開示される本発明を実施することによって、当業者に明らかとなる。明細書および例は、ほんの例示に過ぎず、本発明の真の範囲および精神は、添付の特許請求の範囲により示されるものであることが意図される。
【図面の簡単な説明】
【００３９】
【図１】図１は、本発明のリム（１）およびテンプルアーム（２５）を備える一対のメガネを例示する。
【図２】図２は、本発明のリム（１）の斜視図である。
【図３】図３は、本発明に従う、アイワイヤの上側部分（２）とアイワイヤの下側部分（３）とを連結する前の、引張りクリップ（５）および引張りクリップの受け部（６）を例示する。
【図４】図４は、本発明に従う、アイワイヤの上側部分（２）とアイワイヤの下側部分（３）とを連結した後の、図３の引張りクリップ（５）および引張りクリップの受け部（６）を例示する。
【図５】図５は、本発明に従う、アイワイヤの上側部分（２）とアイワイヤの下側部分（３）とを連結する前の、引張りクリップ（５’）および引張りクリップの受け部（６’）の代替的な実施形態を例示する。
【図６】図６は、本発明に従う、アイワイヤの上側部分（２）とアイワイヤの下側部分（３）とを連結した後の、図５の引張りクリップ（５’）および引張りクリップの受け部（６’）を例示する。
【図７】図７〜８は、引張りクリップ（５”）および引張りクリップの受け部（６”）のさらなる実施形態を例示する。
【図８】図７〜８は、引張りクリップ（５”）および引張りクリップの受け部（６”）のさらなる実施形態を例示する。
【図９】図９は、本発明に従う、テンプルアームヒンジブロック（４）を例示する。
【図１０】図１０は、本発明に従う、テンプルアームヒンジブロック（４）の別の実施形態を例示する。
【図１１】図１１は、先行技術に従う、テンプルアームヒンジブロック（４’）を例示する。
【図１２】図１２は、本発明に従う、テンプルアーム（２５）を例示する。
【図１３】図１３は、本発明に従う、テンプルアームヒンジブロック（４）に取り付けられたテンプルアーム（２５）を例示する。
【図１４】図１４は、テンプルアームヒンジブロック（４）内で閉じた位置に回転された、テンプルアーム（２５）を例示する。
【図１５】図１５は、工具を使用することも、メガネを損傷することもなく、テンプルアームヒンジブロック（４）から取り外されたテンプルアーム（２５）を例示する。
【図１６】図１６は、テンプルアームを短くするために切断され得る、切欠き（４９）を備えるテンプルアーム（２５）を例示する。
【図１７】図１７は、種々の長さのテンプルアームと共に使用され得る、テンプルアームのしのみ（５０）を例示する。
【図１】
2008504571.tif 000003
【図２】
2008504571.tif 000004
【図３】
2008504571.tif 000005
【図４】
2008504571.tif 000006
【図５】
2008504571.tif 000007
【図６】
2008504571.tif 000008
【図７】
2008504571.tif 000009
【図８】
2008504571.tif 000010
【図９】
2008504571.tif 000011
【図１０】
2008504571.tif 000012
【図１１】
2008504571.tif 000013
【図１２】
2008504571.tif 000014
【図１３】
2008504571.tif 000015
【図１４】
2008504571.tif 000016
【図１５】
2008504571.tif 000017
【図１６】
2008504571.tif 000018
【図１７】
2008504571.tif 000019
【国際調査報告】
2008504571.tif 000020
2008504571.tif 000021
2008504571.tif 000022